(57)【要約】【課題】綴じ代幅の設定を迅速に行える記録装置を提供する。【解決手段】表示部は、綴じ代幅の設定モード時には、左右上下の４方向の綴じ代幅を左右方向に並べて表示する。ＭＰＵ（制御手段）は、綴じ代幅の設定モード時に、十字キーのうち綴じ代幅が並んだ左右方向と同方向の左方向キー又は右方向キーが操作されると、カーソルの位置を４方向の綴じ代幅上で操作された方向キーの方向（左方向又は右方向）に１つずつ移動させ、テンキーで数値が入力されると、カーソルが現在位置する綴じ代幅にその入力値を表示する。更に、ＭＰＵは、綴じ代幅の設定モード時に、十字キーのうち綴じ代幅が並んだ左右方向と異方向の上方向キー又は下方向キーが操作されると、カーソルが現在位置する綴じ代幅を操作された方向キーの方向（上方向又は下方向）に応じて１つずつ増加又は減少させる。【選択図】      図３
2004200957.tif 000002
【特許請求の範囲】
【請求項１】
左右上下の４方向の綴じ代幅を表示する表示部と、数値を入力するテンキーと、表示部に表示されたカーソルを左右上下方向に移動させる４方向キーを有する十字キーと、十字キー及びテンキーの操作に基づいて綴じ代幅を設定する制御手段とを備えた記録装置であって、
前記表示部は、左側、右側、上側及び下側の各々の綴じ代幅を左右方向又は上下方向に並べて表示し、前記制御手段は、表示部に４方向の綴じ代幅が表示されているときに、前記十字キーのうち綴じ代幅が並んだ方向と同方向の方向キーが操作されると、カーソルの位置を４方向の綴じ代幅上で操作された方向キーの方向に１つずつ移動させ、前記テンキーで数値が入力されると、カーソルが現在位置する綴じ代幅にその入力値を表示することを特徴とする記録装置。
【請求項２】
前記制御手段は、前記表示部に４方向の綴じ代幅が表示されているときに、前記十字キーのうち綴じ代幅が並んだ方向と異方向の方向キーが操作されると、カーソルが現在位置する綴じ代幅を操作された方向キーの方向に応じて１つずつ変化させることを特徴とする請求項１記載の記録装置。
【発明の詳細な説明】
【０００１】
【発明の属する技術分野】
この発明は、ファクシミリ装置、コピー装置或いはそれらの複合機等に使用される記録装置に関し、詳細には読み取った原稿の画像を上下左右方向に移動させて、記録紙に綴じ代（空白部分）を作成する記録装置に関する。
【０００２】
【従来の技術】
近年の記録装置においては、電子写真方式を用いて画像を記録紙に記録する方式が多用されている。画像を記録紙に記録した後、例えば記録紙の左側を綴じてファイルにしたい場合は、コピーをする前に、予め記録紙の左側に作成する綴じ代幅を設定しておく。
【０００３】
この綴じ代幅を設定する場合、操作部に設けられた十字キーを利用して上下左右方向の綴じ代幅を設定できるようにした画像形成装置がある（例えば、特許文献１参照）。
【０００４】
この特許文献１の装置では、十字キーを１回押すたびに、押した方向の綴じ代幅はデクリメントされ、その反対方向の綴じ代幅はインクリメントされるように構成されている。この装置によれば、十字キーで上下左右方向の綴じ代位置と綴じ代幅の両方を設定できる。
【０００５】
【特許文献１】
特開２００１−１２７９２６号公報
【０００６】
【発明が解決しようとする課題】
しかしながら、上記特許文献１の装置によれば、上下左右方向の各綴じ代幅を設定するときに、十字キーを１回押すたびに１つずつしか増減しないため、大きい値を入力するときに時間が掛かるという問題点がある。
【０００７】
例えば、図１０の（ａ）に示す綴じ代幅の設定時の表示画面において、上下左右方向の綴じ代幅が初期値０であるとき、十字キーの上方向キーを１回押すと、図１０の（ｂ）に示すように、上側の綴じ代幅が１ｍｍに、下側の綴じ代幅が−１ｍｍに設定され、十字キーの左方向キーを１回押すと、図１０の（ｃ）に示すように、左側の綴じ代幅が１ｍｍに、右側の綴じ代幅が−１ｍｍに設定される。また、図１０の（ｂ），（ｃ）の状態で、それぞれ十字キーの下方向キー、右方向キーを１回押すと、いずれも図１０の（ａ）の状態に戻る。
【０００８】
更に、図１０の（ｂ），（ｃ）の状態で、それぞれ十字キーの左方向キー、上方向キーを１回押すと、図１１のようになり、図１１の状態で、それぞれ十字キーの右方向キー、下方向キーを１回押すと、図１０の（ｂ），（ｃ）の状態になる。
【０００９】
いずれにしても、綴じ代幅が大きい場合は、その数字回数分だけ十字キーを押す必要があり、綴じ代幅の設定に手間が掛かる。
【００１０】
この発明は、そのような問題点に着目してなされたものであって、綴じ代幅の設定を迅速に行える記録装置を提供することを目的としている。
【００１１】
【課題を解決するための手段】
前記目的を達成するために、この発明の請求項１記載の記録装置は、左右上下の４方向の綴じ代幅を表示する表示部と、数値を入力するテンキーと、表示部に表示されたカーソルを左右上下方向に移動させる４方向キーを有する十字キーと、十字キー及びテンキーの操作に基づいて綴じ代幅を設定する制御手段とを備えたものであって、前記表示部は、左側、右側、上側及び下側の各々の綴じ代幅を左右方向又は上下方向に並べて表示し、前記制御手段は、表示部に４方向の綴じ代幅が表示されているときに、前記十字キーのうち綴じ代幅が並んだ方向と同方向の方向キーが操作されると、カーソルの位置を４方向の綴じ代幅上で操作された方向キーの方向に１つずつ移動させ、前記テンキーで数値が入力されると、カーソルが現在位置する綴じ代幅にその入力値を表示することを特徴とする。
【００１２】
この記録装置では、十字キーのうち、上下左右の４方向の綴じ代幅が表示部に並んで表示された方向（左右方向又は上下方向）と同方向の方向キーを操作することで、カーソルの位置が操作された方向キーの方向に４方向の綴じ代幅上で１つずつ移動し、テンキーで数値を入力することで、カーソルが現在位置する綴じ代幅に入力値が設定される。すなわち、この記録装置によれば、綴じ代位置の選択は十字キーで行い、数値（綴じ代幅）の入力はテンキーで行うので、たとえ大きい値を入力する場合であっても、その数値を直接入力でき、十字キーで数値を１つずつ増減する従来に比べて、綴じ代幅の設定を迅速に行うことができる。
【００１３】
この記録装置において、制御手段は、表示部に４方向の綴じ代幅が表示されているときに、十字キーのうち綴じ代幅が並んだ方向と異方向の方向キーが操作されると、カーソルが現在位置する綴じ代幅を操作された方向キーの方向に応じて１つずつ変化させることとすれば、テンキーに加えて十字キーでも綴じ代幅を入力できるので、綴じ代幅の設定をより早く行うことが可能となる。
【００１４】
例えば、４方向の綴じ代幅が左右方向に並んで表示されている場合、カーソルが現在位置する綴じ代幅は、十字キーの上方向キーを押せば１つずつ増加し、反対に下方向キーを押せば１つずつ減少する。つまり、綴じ代幅の設定を、テンキーだけでなく十字キーでも行うことができる。
【００１５】
【発明の実施の形態】
以下、実施の形態により、この発明を更に詳細に説明する。
【００１６】
その実施形態に係る記録装置を備えたファクシミリ装置の構成例のブロック図を図１に示す。
【００１７】
このファクシミリ装置は、制御手段としてのＭＰＵ１１、ＲＯＭ１２、ＲＡＭ１３、読取部１４、記録部１５、操作部１６、表示部１７、画像メモリ１８、コーデック１９、モデム２０及びＮＣＵ２１から構成されるとともに、各部１１〜２１がバス２２を介してそれぞれ接続されている。なお、エラー等が生じたときに、その旨を警告音でオペレータに知らせる警告部２３を備えてもよい。
【００１８】
ＭＰＵ１１は、このファクシミリ装置を構成する各部を制御するとともに、後述するように操作部１６のテンキー１６ａ及び十字キー１６ｇの操作に基づいて綴じ代幅を設定する機能を有する。ＲＯＭ１２は、ファクシミリ装置を制御するためのプログラムを記憶する。ＲＡＭ１３は、ファクシミリ装置に関する各種情報を一時的に記憶する。
【００１９】
読取部１４は、原稿上の画像データを読み取って、白黒２値のイメージデータを出力する。記録部１５は、電子写真方式のプリンタよりなり、受信画像データや、コピー動作において読取部１４にて読み取られた原稿の画像データを記録紙上に記録する。
【００２０】
図１及び図２に示すように、操作部１６は、電話番号、ＦＡＸ番号、後記綴じ代幅等を入力するためのテンキー（＊，＃キーを含む）１６ａ、予め登録したＦＡＸ番号をワンタッチで指定するためのワンタッチキー１６ｂ、原稿の読み取り動作を開始させるためのスタートキー１６ｃ、「通信（ＦＡＸ）」モード又は「コピー」モードに設定するための通信／コピーキー１６ｄ、綴じ代幅の設定モードに移行するためのモードキー１６ｅ、綴じ代幅の設定モードにおいて綴じ代幅の設定を終了するためのモード終了キー１６ｆ、綴じ代幅の設定モードにおいて綴じ代位置と綴じ代幅の設定を行うための十字キー１６ｇ、各モードにおいて表示部１７の画面下に表示されたメニューを選択するためのメニューキー１６ｈ等の各種操作キーを備えている。
【００２１】
ＬＣＤ等よりなる表示部１７は、ファクシミリ装置の動作状態等の各種情報を表示する。また、表示部１７は、綴じ代幅の設定モード時に、図３及び図４に示すように、左側、右側、上側及び下側の各々の綴じ代幅を左右方向に並べて表示する。画像メモリ１８は、受信画像データや読取部１４で読み取られた画像データを一時的に記憶する。コーデック１９は、読取部１４にて読み取られた画像データを送信のためにＭＨ、ＭＲ、ＭＭＲ方式等により符号化（エンコード）する。また、コーデック１９は、受信画像データを復号（デコード）する。
【００２２】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ２１は、電話回線Ｌとの接続を制御するとともに、相手先のＦＡＸ番号に対応したダイヤル信号の送出及び着信を検出するための機能を備えている。
【００２３】
警告部２３は、綴じ代幅の設定モードにおいては、オペレータが綴じ代幅の制限値を超える値を入力したときに警告音を鳴らす。
【００２４】
このように構成したファクシミリ装置では、表示部１７は、図３及び図４に示すように、左側、右側、上側及び下側の各々の綴じ代幅を左右方向に並べて表示する。また、ＭＰＵ１１は、表示部１７に４方向の綴じ代幅が表示されているとき（綴じ代幅の設定モード時）に、十字キー１６ｇのうち綴じ代幅が並んだ方向（左右方向）と同方向の方向キー（左方向キー又は右方向キー）が操作されると、カーソル（図３及び図４の白抜き数字部分）の位置を４方向の綴じ代幅上で操作された方向キーの方向（左方向又は右方向）に１つずつ移動させ、テンキー１６ａで数値が入力されると、カーソルが現在位置する綴じ代幅にその入力値を表示する。更に、ＭＰＵ１１は、綴じ代幅の設定モード時に、十字キー１６ｇのうち綴じ代幅が並んだ方向（左右方向）と異方向（上下方向）の方向キー（上方向キー又は下方向キー）が操作されると、カーソルが現在位置する綴じ代幅を操作された方向キーの方向（上方向又は下方向）に応じて１つずつ変化させる。
【００２５】
綴じ代幅の設定モードにおける綴じ代幅の設定について、図３及び図４に示す表示部１７の表示画面を参照して説明する。但し、ここでは記録紙がＡ４サイズで、綴じ代幅の制限値が０〜３０ｍｍの場合を示す。
【００２６】
綴じ代幅の設定モードに移行すると、まず図３の（ａ）の表示画面になる。カーソルは最初は左側の綴じ代に位置するので、ここでテンキー１６ａにより数値“１０”を入力すると、左側の綴じ代幅に１０ｍｍが設定され、その反対側の右側の綴じ代幅に“−−−”が表示される〔図３の（ｂ）〕。但し、“−−−”は実質は右側の綴じ代幅には入力値の負の値（−１０ｍｍ）が設定されることを意味する。これにより、読み取った画像が設定された綴じ代幅だけ右側に移動することになる。
【００２７】
図３の（ａ）の状態から、十字キー１６ｇの右方向キーを押すと、カーソルが１つ右側に移動し、右側の綴じ代に位置する〔図３の（ｃ）〕。ここでテンキー１６ａにより数値“１０”を入力すると、右側の綴じ代幅に１０ｍｍが設定され、左側の綴じ代幅に“−−−”が表示される〔図３の（ｄ）〕。図３の（ｃ）の状態で、十字キー１６ｇの左方向キーを押せば、カーソルが１つ左側に移動し、左側の綴じ代に位置する〔図３の（ａ）〕。
【００２８】
図３の（ｃ）の状態で、十字キー１６ｇの右方向キーを押せば、カーソルが１つ右側に移動し、上側の綴じ代に位置する〔図４の（ａ）〕。ここでテンキー１６ａにより数値“１０”を入力すると、上側の綴じ代幅に１０ｍｍが設定され、下側の綴じ代幅に“−−−”が表示される〔図４の（ｂ）〕。
【００２９】
更に、図４の（ａ）の状態で、十字キー１６ｇの右方向キーを押せば、カーソルが１つ右側に移動し、下側の綴じ代に位置する〔図４の（ｃ）〕。ここでテンキー１６ａにより数値“１０”を入力すると、下側の綴じ代幅に１０ｍｍが設定され、上側の綴じ代幅に“−−−”が表示される〔図４の（ｄ）〕。
【００３０】
また、図４の（ｃ）の状態で、十字キー１６ｇの左方向キーを押せば、カーソルが１つ左側に移動し、上側の綴じ代に位置する〔図４の（ａ）〕。図４の（ａ）の状態で、十字キー１６ｇの左方向キーを押せば、カーソルが１つ左側に移動し、右側の綴じ代に位置する〔図３の（ｃ）〕。
【００３１】
図面には示していないが、例えば図３の（ｂ）の状態で、十字キー１６ｇの上方向キーを押せば、左側の綴じ代幅の１０ｍｍが１ｍｍずつ増加する。反対に、下方向キーを押せば、１ｍｍずつ減少する。これは、図３の（ｄ）、図４の（ｂ）、図４の（ｄ）の各状態でも同様である。勿論、例えば図３の（ａ）の状態で、上方向キーを押せば、左側の綴じ代幅が０ｍｍから１ｍｍずつ増加し、下方向キーを押せばエラーとなり、後記フロー図では最小の０ｍｍが設定される。
【００３２】
次に、綴じ代幅の設定モードにおける動作について、図５〜図９に示すフロー図を参照して説明する。但し、ここでも記録紙がＡ４サイズで、綴じ代幅の制限値が０〜３０ｍｍの場合である。
【００３３】
操作部１６のモードキー１６ｅが押されて、綴じ代幅の設定モードに移行すると、まず図５のフロー図のステップＳＴ１において、上下左右の４方向の綴じ代幅にそれぞれ初期値０がセットされ、ステップＳＴ２において、表示部１７に図３の（ａ）の画面が表示される。
【００３４】
次いで、ステップＳＴ３において、十字キー１６ｇが押し下げられたか判定し、ＮＯの場合は、ステップＳＴ７に移行する。ＹＥＳの場合は、ステップＳＴ４において、その押し下げられたのは左方向キーなのか判定し、ＮＯのときは、ステップＳＴ５において、右方向キーなのか判定し、ＮＯのときは、ステップＳＴ６において、上方向キーなのか判定する。
【００３５】
ステップＳＴ４の判定がＹＥＳのときは、図６のフロー図の処理へ、ステップＳＴ５の判定がＹＥＳのときは、図７のフロー図の処理へ、ステップＳＴ６の判定がＹＥＳのときは、図８のフロー図の処理へ、ステップＳＴ６の判定がＮＯのときは、図９のフロー図の処理へ移る。各フロー図の処理については後述する。
【００３６】
ステップＳＴ３の判定がＮＯのときは、ステップＳＴ７において、テンキー１０ａにより数値（綴じ代幅）が入力されたか判定する。数値が入力されないときは、ステップＳＴ３に戻り、十字キー１６ｇが押し下げられたか判定する。つまり、十字キー１６ｇかテンキー１６ａが押し下げられるまで待機する。数値が入力されると、ステップＳＴ８において、現在の綴じ代箇所（カーソルが現在位置する綴じ代）に幅として入力値ｘを表示し、その反対側の綴じ代箇所に“−−−”を表示する。
【００３７】
その後、ステップＳＴ９において、表示部１７の画面下に表示された“セット”に対応するメニューキー１６ｈ（ここでは右側のキー）が押し下げられたか判定する。対応キーが押し下げられないときは、ステップＳＴ３に戻る。これにより、数値の入力ミスや入力値の変更に対処できる。メニューキー１６ｈの対応キーが押し下げられると、ステップＳＴ１０において、入力値ｘは綴じ代幅の制限値内（０≦ｘ≦３０）であるか判定する。
【００３８】
入力値ｘが制限値内でない場合は、ステップＳＴ３に戻る。これにより、入力値の再入力を促すことができる。このとき、警告部２３により警告音を発するようにすれば、オペレータにエラーであることがより分かり易くなる。入力値ｘが制限値内である場合は、ステップＳＴ１１において、現在の綴じ代箇所に入力値ｘをセットし、その反対側の綴じ代箇所に−ｘをセットする。つまり、メモリに入力値ｘと−ｘを記憶する。
【００３９】
その後、ステップＳＴ１２において、モード終了キー１６ｆが押し下げられたか判定し、押し下げられないときは、ステップＳＴ３に戻る。これにより、一旦入力した綴じ代幅の変更や他の綴じ代幅の設定を続けて行うことができる。モード終了キー１６ｆが押し下げられたなら、当該綴じ代幅の設定モードを終了する。
【００４０】
一方、ステップＳＴ４において、十字キー１６ｇの左方向キーが押し下げられたときは、図６のフロー図のステップＳＴ２１において、現在のカーソルは左側の綴じ代に位置するのか判定し、そうであるなら、ステップＳＴ２２において、カーソル位置を左側の綴じ代に固定した後、ステップＳＴ３に戻る。つまり、カーソルが左側の綴じ代に位置するときに左方向キーを押し下げても、カーソルはそれ以上は左方向に移動しない。これに対して、現在のカーソルが左側の綴じ代以外の綴じ代に位置するときは、ステップＳＴ２３において、カーソルを左方向に１つ移動させ、左隣の綴じ代に位置させた後、ステップＳＴ３に戻る。
【００４１】
また、ステップＳＴ５において、十字キー１６ｇの右方向キーが押し下げられたときは、図７のフロー図のステップＳＴ３１において、現在のカーソルは下側の綴じ代に位置するのか判定し、そうであるなら、ステップＳＴ３２において、カーソル位置を下側の綴じ代に固定した後、ステップＳＴ３に戻る。つまり、カーソルが下側の綴じ代に位置するときに右方向キーを押し下げても、カーソルはそれ以上は右方向に移動しない。これに対して、現在のカーソルが下側の綴じ代以外の綴じ代に位置するときは、ステップＳＴ３３において、カーソルを右方向に１つ移動させ、右隣の綴じ代に位置させた後、ステップＳＴ３に戻る。
【００４２】
他方、ステップＳＴ６において、十字キー１６ｇの上方向キーが押し下げられたときは、図８のフロー図のステップＳＴ４１において、カーソルが現在位置する綴じ代幅（表示値Ｙ）を１インクリメントする。そして、ステップＳＴ４２において、表示値Ｙが３０より大きいか判定し、大きいときは、ステップＳＴ４３において、表示値Ｙを３０に固定する。すなわち、表示値Ｙが制限値の上限３０であるときに上方向キーを押し下げても、表示値Ｙは３０以上にはならない。このときに、警告部２３により警告音を発して、オペレータに制限値を超えていることを報知してもよい。表示値Ｙが３０以下であるときは、ステップＳＴ４３の処理をスキップする。
【００４３】
続いて、ステップＳＴ４４において、カーソルが現在位置する綴じ代幅に表示値Ｙを表示する。そして、ステップＳＴ４５において、表示部１７の画面下に表示された“セット”に対応するメニューキー１６ｈが押し下げられたか判定する。対応キーが押し下げられないときは、図５のフロー図のステップＳＴ３に戻る。対応キーが押し下げられたときは、ステップＳＴ４６において、現在の綴じ代箇所（カーソルが現在位置する綴じ代）に表示値Ｙをセットし、その反対側の綴じ代箇所に−Ｙをセットする。つまり、メモリに表示値Ｙと−Ｙを記憶する。
【００４４】
その後、ステップＳＴ４７において、モード終了キー１６ｆが押し下げられたか判定し、押し下げられないときは、ステップＳＴ３に戻る。押し下げられたなら、当該綴じ代幅の設定モードを終了する。
【００４５】
また、ステップＳＴ６において、十字キー１６ｇの下方向キーが押し下げられたときは、図９のフロー図のステップＳＴ５１において、カーソルが現在位置する綴じ代幅（表示値Ｙ）を１デクリメントする。そして、ステップＳＴ５２において、表示値Ｙが０より小さいか判定し、小さいときは、ステップＳＴ５３において、表示値Ｙを０に固定する。すなわち、表示値Ｙが制限値の下限０であるときに下方向キーを押し下げても、表示値Ｙはマイナスにはならない。このときも、警告部２３により警告音を発し、その旨をオペレータに報知してもよい。表示値Ｙが０以上であるときは、ステップＳＴ５３の処理をスキップする。
【００４６】
続いて、ステップＳＴ５４において、カーソルが現在位置する綴じ代幅に表示値Ｙを表示する。そして、ステップＳＴ５５において、表示部１７の画面下に表示された“セット”に対応するメニューキー１６ｈが押し下げられたか判定する。対応キーが押し下げられないときは、図５のフロー図のステップＳＴ３に戻る。対応キーが押し下げられたときは、ステップＳＴ５６において、現在の綴じ代箇所（カーソルが現在位置する綴じ代）に表示値Ｙをセットし、その反対側の綴じ代箇所に−Ｙをセットする。つまり、メモリに表示値Ｙと−Ｙを記憶する。
【００４７】
その後、ステップＳＴ５７において、モード終了キー１６ｆが押し下げられたか判定し、押し下げられないときは、ステップＳＴ３に戻る。押し下げられたなら、当該綴じ代幅の設定モードを終了する。
【００４８】
このように、このファクシミリ装置によれば、左右上下の４方向の綴じ代位置を十字キー１６ｇの左方向キーと右方向キーで選択し、綴じ代幅をテンキー１６ａにより直接入力したり、十字キー１６ｇの上方向キーと下方向キーで１つずつ増減するので、綴じ代幅の設定を迅速に行うことができる。
【００４９】
なお、上記実施形態では、綴じ代幅の制限値がＡ４サイズで０〜３０ｍｍであったが、これ以外のサイズの場合は、各サイズに応じて制限値を変えればよい。例えば、Ｂ５サイズの場合は０〜２０ｍｍ、Ｂ４サイズの場合は０〜４０ｍｍ、Ａ３サイズの場合は０〜５０ｍｍである。なお当然、サイズにより設定を変えなくてもよい。
【００５０】
また、上記実施形態では、カーソルが左側の綴じ代に位置するときに十字キー１６ｇの左方向キーを押しても、カーソルは左側の綴じ代に位置するままであるとしたが、下側の綴じ代に位置するようにしてもよい。つまり、カーソルが「下」→「上」→「右」→「左」→「下」→「上」→…の順に循環するようにしてもよい。同様に、カーソルが下側の綴じ代に位置するときに十字キー１６ｇの右方向キーを押しても、カーソルは右側の綴じ代に位置するままであるとしたが、左側の綴じ代に位置するようにしてもよい。つまり、カーソルが「左」→「右」→「上」→「下」→「左」→「右」→…の順に循環するようにしてもよい。
【００５１】
更に、十字キー１６ｇの上方向キー又は下方向キーを押すと、押している間は綴じ代幅が１ｍｍずつ連続して増加又は減少するとしているが、上方向キー又は下方向キーを１回押すたびに、１ｍｍずつ増加又は減少するようにしてもよい。
【００５２】
或いは、上記実施形態では、表示部１７に４方向の綴じ代が左右方向に並んで表示されているが、上下方向に並んで表示されている場合でもよい。この場合は、十字キー１６ｇの上方向キー又は下方向キーで綴じ代位置を設定し、右方向キー又は左方向キーで綴じ代幅を１つずつ増加又は減少することになる。
【００５３】
【発明の効果】
以上説明したように、請求項１記載の発明によれば、綴じ代位置の選択は十字キーで行い、数値（綴じ代幅）の入力はテンキーで行うので、たとえ大きい値を入力する場合であっても、その数値を直接入力でき、綴じ代幅の設定を迅速に行うことができる。
【００５４】
請求項２記載の発明によれば、カーソルが現在位置する綴じ代幅を十字キーでも１つずつ変化させることができるので、綴じ代幅の設定をより早く行うことが可能となる。
【図面の簡単な説明】
【図１】実施形態に係る記録装置を備えたファクシミリ装置の構成例を示すブロック図である。
【図２】同ファクシミリ装置における操作部及び表示部を示す平面図である。
【図３】同ファクシミリ装置の綴じ代幅の設定モード時の表示部の表示画面を示す平面図である。
【図４】同ファクシミリ装置の綴じ代幅の設定モード時の表示部の表示画面を示す平面図である。
【図５】同ファクシミリ装置の綴じ代幅の設定モードにおける動作を説明するフロー図である。
【図６】図５のフロー図に続くフロー図である。
【図７】図５のフロー図に続くフロー図である。
【図８】図５のフロー図に続くフロー図である。
【図９】図５のフロー図に続くフロー図である。
【図１０】従来例に係る装置の綴じ代幅の設定モード時の表示部の表示画面を示す平面図である。
【図１１】従来例に係る装置の綴じ代幅の設定モード時の表示部の表示画面を示す平面図である。
【符号の説明】
１１      ＭＰＵ（制御手段）
１６      操作部
１６ａ    テンキー
１６ｅ    モードキー
１６ｆ    モード終了キー
１６ｇ    十字キー
１６ｈ    メニューキー
１７      表示部
【図１】
2004200957.tif 000003
【図２】
2004200957.tif 000004
【図３】
2004200957.tif 000005
【図４】
2004200957.tif 000006
【図５】
2004200957.tif 000007
【図６】
2004200957.tif 000008
【図７】
2004200957.tif 000009
【図８】
2004200957.tif 000010
【図９】
2004200957.tif 000011
【図１０】
2004200957.tif 000012
【図１１】
2004200957.tif 000013